(57)【要約】    【課題】空気調和機の前垂れを防止すると共に、十分な据付強度を得ることのできる空気調和機の据付装置の提供。    【解決手段】背面板３の両端に側板４をヒンジ機構５によって連結する。背面板３を室壁に取り付ける。側板４を左右に開いて開姿勢にする。背面板３に空気調和機２の背面を係止する。ヒンジ機構５を回動させることにより、側板４を前方に向けて支持姿勢にする。側板４のフランジ１３にキャビネット６の被受け部１４を載置する。側板４が空気調和機２の重心部分の側部を支持する。【選択図】図１
2010117074.tif 000002
【特許請求の範囲】
【請求項１】
空気調和機を室壁に据え付けるための据付装置であって、室壁に取り付けられて空気調和機の背面側に位置する背面部材と、該背面部材に連結されて空気調和機の側部を支持する側部材とを備えたことを特徴とする空気調和機の据付装置。
【請求項２】
前記側部材は、背面部材にヒンジ機構によって連結されたことを特徴とする請求項１に記載の空気調和機の据付装置。
【請求項３】
前記側部材は、上縁にフランジを有する板状の部材とされ、前記フランジが、空気調和機の側部を受ける受け部とされたことを特徴とする請求項１又は２に記載の空気調和機の据付装置。
【請求項４】
前記側部材の板面を空気調和機のキャビネットの側面に接触させつつ、前記フランジに、キャビネットの側面から空気調和機の幅方向外向きに突出する被受け部を載置可能なよう、前記フランジは、側部材の上縁から空気調和機側とは反対向きに突設されたことを特徴とする請求項３に記載の空気調和機の据付装置。
【請求項５】
前記側部材の板面を空気調和機のキャビネットの側面に接触させつつ、空気調和機のキャビネットの側面に形成されたスリットに前記フランジを侵入させると共に、該フランジに、前記スリットの上縁に形成された被受け部を載置可能なよう、前記フランジは、側部材の上縁から空気調和機側に向けて突設されたことを特徴とする請求項３に記載の空気調和機の据付装置。
【請求項６】
キャビネットの側部に、据付装置の背面部材から前方に突出する側部材に載置可能な被受け部が形成されたことを特徴とする空気調和機。
【発明の詳細な説明】
【技術分野】
【０００１】
本発明は、空気調和機を室壁に据え付けるための据付装置に関するものである。
【背景技術】
【０００２】
一般に、据付作業が簡単な壁掛型の空気調和機は、室壁などに据付板を取り付けると共に、その据付板に空気調和機の背面を引っ掛けることにより、室壁などに据え付けるようになっている（例えば特許文献１参照）。
【特許文献１】特開２００３−９０５９６号公報
【発明の開示】
【発明が解決しようとする課題】
【０００３】
ところが、上下に薄くかつ前後に長い空気調和機を壁掛型として、その背面を据付板に引っ掛けて据え付ける場合、据付板から空気調和機の重心までの距離が長い分、空気調和機の前方が下がるように傾斜するいわゆる前垂れを生じやすく、しかも、十分な据付強度を得にくくなるおそれがある。
【０００４】
本発明は、空気調和機の前垂れを防止すると共に、十分な据付強度を得ることのできる空気調和機の据付装置の提供を目的とする。
【課題を解決するための手段】
【０００５】
上記目的を達成するため、本発明は、空気調和機を室壁に据え付けるための据付装置であって、室壁に取り付けられて空気調和機の背面側に位置する背面部材と、該背面部材に連結されて空気調和機の側部を支持する側部材とを備えたことを特徴とする空気調和機の据付装置を提供する。
【０００６】
上記構成によれば、背面部材を室壁に取り付け、その背面部材に連結された側部材で空気調和機の側部を支持するので、据付装置で空気調和機の重心部分を支持することができ、空気調和機の前垂れを防止すると共に、十分な据付強度を得ることができる。さらに、背面部材に、空気調和機の背面を係止して支持するための係止部を設ければ、空気調和機の側部に加えて背面をも支持することができ、空気調和機をより確実に据え付けると共に、据付装置の側部材の受ける負担を軽減することができる。
【０００７】
また、側部材を背面部材にヒンジ機構によって連結することができる。この構成によれば、側部材を、背面部材から左右に開いた開姿勢と、背面部材から前方に突出して空気調和機の側部を支持する支持姿勢との間で切換自在、あるいは、支持姿勢と、背面部材に重ねるように折り畳まれた折り畳み姿勢との間で切換自在、さらに、開姿勢と支持姿勢と折り畳み姿勢との間で切換自在とすることができる。
【０００８】
これにより、室壁に取り付けた据付装置の側部材を開姿勢にして、背面部材への空気調和機の係止を容易にすることができ、その後、側部材を支持姿勢にして空気調和機の側部を支持することができ、しかも、据付装置を梱包する際には、側部材を折り畳み姿勢にして小型化することができる。
【０００９】
また、側部材を板状の部材とすれば、空気調和機の重量に対する側部材の強度及び剛性を大きく設定しつつ、側部材の板面を空気調和機に接触させて、空気調和機の側方への側部材の突出を抑えることができる。
【００１０】
特に、側部材を上縁にフランジを有する板状の部材とすることにより、そのフランジを空気調和機の側部を受ける受け部とすることができる。この構成によれば、上縁のフランジによって、空気調和機の重量及び横向きの力に対する側部材の強度及び剛性を十分に大きく設定すると共に、空気調和機の側部をフランジ面で受けることができ、受け部の面積を広く設定できる分、局所的に過大な力が作用するのを防止することができる。
【００１１】
より具体的な構成例としては、側部材の板面を空気調和機のキャビネットの側面に接触させつつ、フランジに、キャビネットの側面から空気調和機の幅方向外向きに突出する被受け部を載置可能なよう、フランジを側部材の上縁から空気調和機側とは反対向きに突設することができる。この構成によれば、被受け部をキャビネットの側面から外向きに突出させることができるので、キャビネットの内部に突出する被受け部やスリットを不要にすることができ、キャビネットの構造を簡単にすることができる。しかも、側部材の板面をキャビネットの側面に接触させるので、側部材をキャビネットにねじ止めするなどして、両者を容易に一体化すると共に、側部材が開くのを阻止することができる。
【００１２】
また、別の具体的な構成例としては、側部材の板面を空気調和機のキャビネットの側面に接触させつつ、空気調和機のキャビネットの側面に形成されたスリットにフランジを侵入させると共に、このフランジに、スリットの上縁に形成された被受け部を載置可能なよう、フランジを側部材の上縁から空気調和機側に向けて突設することもできる。この構成によれば、被受け部をキャビネットのスリットの上縁に形成することができるので、キャビネットの外部に突出する被受け部を不要にすることができ、キャビネットの外面をすっきりした形状にすることができる。しかも、側部材の板面をキャビネットの側面に接触させるので、側部材をキャビネットにねじ止めするなどして、両者を容易に一体化すると共に、側部材が開くのを阻止することができる。
【００１３】
また、側部材の先端部に、空気調和機のキャビネットの側面から突出する突起を先端側から挿入可能な切欠を形成することもできる。この構成によれば、キャビネットの突起を切欠で受けて空気調和機を支持することができ、しかも、その突起としてボルトなどを採用することにより、側部材をキャビネットに締結して両者を一体化すると共に、側部材が開くのを阻止することができる。さらに、側部材の先端側から突起を切欠に挿入可能とするので、据付箇所の側方に壁があるなど、据付時に側部材を開姿勢にすることができない場合であっても、側部材を支持姿勢にしたまま、据付箇所の前方からキャビネットの突起を切欠に挿入することができる。
【００１４】
また、側部材を覆い隠す化粧板を設ければ、側部材や、キャビネットの被受け部、スリット、ボルトなどの突起が外部から視認されるのを阻止することができ、その分、空気調和機の外観を良好にすることができる。
【００１５】
また、本発明は、キャビネットの側部に、据付装置の背面部材から前方に突出する側部材に載置可能な被受け部が形成されたことを特徴とする空気調和機を提供する。この構成によれば、上記の据付装置を用いて、室壁などに空気調和機を好適に据え付けることができる。
【発明の効果】
【００１６】
以上のとおり、本発明によると、室壁に背面部材を取り付けて、その背面部材に連結した側部材で空気調和機の側部を支持するので、空気調和機の重心部分を支持することができ、空気調和機の前垂れを防止すると共に、十分な据付強度で室壁に空気調和機を据え付けることができる。
【発明を実施するための最良の形態】
【００１７】
以下、本発明を実施するための最良の形態について、図面を用いて説明する。図１は本発明に係る据付装置で支持した空気調和機の側面図、図２は据付装置で支持した空気調和機の平面図、図３は図１のＡ−Ａ断面図、図４は図３のＢ部拡大図である。図５は据付装置の正面図（開姿勢）、図６は据付装置の側面図（開姿勢）である。図７は据付装置の平面図で、（ａ）は開姿勢、（ｂ）は支持姿勢、（ｃ）は折り畳み姿勢を示す。
【００１８】
図１〜図７に示すように、据付装置１は、壁掛型の空気調和機２をその前垂れを阻止しつつ十分な据付強度で室壁に据え付けるためのものであり、室壁に取り付けられて空気調和機２の背面側に位置する背面部材としての背面板３と、空気調和機２の両側部を支持する側部材としての二枚の側板４とを備え、その背面板３の両端に側板４がヒンジ機構５によって連結されている。
【００１９】
図１に示すように、空気調和機２は、キャビネット６に送風機７及び熱交換器８ａ、８ｂを内装してなり、送風機７を駆動させることによって、吸気口（図示せず）から空気を吸い込み、その空気を熱交換器８ａ、８ｂで熱交換して吹出口９から吹き出すようになっている。この空気調和機２は、吸気口がキャビネット６の上面に設けられると共に、熱交換器８ａ、８ｂが鉛直面に対して十分に傾斜して配置されて、その前方に送風機７が設けられ、さらに、送風機７よりも前方に位置する吹出口９がキャビネット６の前部下側に設けられている。これにより、空気調和機２は、一般的な壁掛型の空気調和機よりも上下方向の寸法が短く、かつ前後方向の寸法が長い扁平な形状となっている。
【００２０】
図５〜図７に示すように、背面板３は、略長方形の金属板とされ、例えばプレス加工及び押し抜き加工を施すことにより、その板面が凹凸に加工されて補強されると共に、室壁に取り付けるための複数のねじ穴１０が形成されている。背面板３の上端には、空気調和機２の背面を係止して支持するための係止部１１が上方に突出するよう形成され、背面板３の下端には、空気調和機２の背面を載置して支持するための載置部１２が前方に突出するよう形成されている。載置部１２には、空気調和機２の背面に突設された係合爪が滑り込んで係合する係合穴１２ａが形成され、空気調和機２の背面が載置部１２から外れるのを阻止するようになっている。
【００２１】
図１に示すように、側板４は、空気調和機２の前後方向の寸法の１／２程度の長さ、かつ、基端側の幅が背面板３と同程度で先端側が幅狭の略三角形板とされる。二枚の側板４は、ヒンジ機構５により、背面板３から左右に開いた開姿勢（図７（ａ）参照）と、背面板３から前方に突出して空気調和機２の側部を支持する支持姿勢（図７（ｂ）参照）と、背面板３の前面側に重ねるように折り畳まれた折り畳み姿勢（図７（ｃ）参照）とを切換自在とされる。
【００２２】
図５〜図７に示すように、側板４の上縁部には、折り曲げ加工などによってフランジ１３が形成され、このフランジ１３が、側板４の強度及び剛性を高めると共に、空気調和機２の側部を受ける受け部として機能する。図３及び図４に示すように、フランジ１３は、側板４の支持姿勢において側板４の上縁から空気調和機２側とは反対向きに突出するよう形成されている。これにより、側板４の板面をキャビネット６の側面に接触させつつ、フランジ１３に、キャビネット６の両外側面に突設された被受け部１４を載置可能として、側板４で空気調和機２の側部を支持するようになっている。
【００２３】
図１〜図４に示すように、被受け部１４は、空気調和機２の背面を背面板３の係止部１１に係止すると共に載置部１２に載置した状態で、側板４のフランジ１３の略全面に載置可能なよう、空気調和機２の前後方向の寸法の１／２程度の長さで、キャビネット６の後部かつ上端付近に設けられる。この被受け部１４は、キャビネット６の外側面に突設された水平かつ帯板状の受け部本体１５の上面側に、その長さ方向に沿って、キャビネット６の外側面及び受け部本体１５と直交する三角形板状の複数の補強リブ１６を等間隔に配した構造とされる。
【００２４】
図１及び図５に示すように、側板４の先端部には、先端側が開放された切欠１７が形成され、この切欠１７に、空気調和機２のキャビネット６の外側面から突出する突起としてのボルト１８を先端側から挿入可能とされている。また、側板４の中央部には、ねじ穴１９が形成され、切欠１７に挿入したボルト１８と、ねじ穴１９に挿入したねじとが、空気調和機２を支持しつつ、側板４の開きを阻止して側板４の支持姿勢を維持するようになっている。
【００２５】
また、図２〜図４に示すように、側板４、被受け部１４及びボルト１８は、化粧板２０によって覆い隠され、空気調和機２の外観を良好にする。
【００２６】
次に、据付装置１を用いて室壁に空気調和機２を据え付ける手順を説明する。まず、空気調和機２及び化粧板２０などと一緒に梱包された据付装置１を取り出す。ここで、据付装置１は、ヒンジ機構５を回動させることにより、側板４を背面板３の前面側に重ねるように折り畳んだ折り畳み姿勢（図７（ｃ）参照）とされ、その寸法が小さく梱包しやすくなっている。
【００２７】
次いで、背面板３に形成されたねじ穴１０のうちの所望のねじ穴１０にねじを通して、据付装置１を室壁に取り付け、ヒンジ機構５を回動させて、二枚の側板４を背面板３から左右に開いた開姿勢（図７（ａ）参照）にする。この開姿勢で、空気調和機２の背面を背面板３の係止部１１に係止すると共に、空気調和機２の背面を背面板３の載置部１２に載置することにより、空気調和機２を背面板３で支持する。
【００２８】
さらに、二枚の側板４を背面板３から前方に突出させて支持姿勢（図７（ｂ）参照）にすることにより、側板４のフランジ１３にキャビネット６の被受け部１４を載置して、側板４で空気調和機２の側部を支持する。この支持姿勢で、切欠１７及びねじ穴１９に、それぞれボルト１８及びねじを挿入して、側板４をキャビネット６に締結する。これにより、空気調和機２の側部がフランジ１３に加えてボルト１８及びねじによっても支持され、しかも、ボルト１８及びねじが、側板４が開くのを阻止して据付装置１の支持姿勢を維持させる。
【００２９】
このように、据付装置１の側板４を開姿勢にして空気調和機２を背面板３で支持した後、側板４を支持姿勢にして空気調和機２の側部を支持するので、空気調和機２の背面を背面板３に係止及び載置する際に、側板４が邪魔になるのを防止することができる。
【００３０】
なお、空気調和機２の設置位置に隣接して別の壁などがあり、側板４を開姿勢にすることができない場合には、空気調和機２の背面を背面板３で支持する際、側板４を支持姿勢としておき、この側板４に沿わせて空気調和機２を前方から挿入すればよい。この場合、隣接する別の壁などが邪魔になってボルト１８を取り付けにくくなるが、キャビネット６にあらかじめボルト１８を取り付けておき、空気調和機２を前方から挿入しながら、切欠１７に、その先端側の開放部からボルト１８を挿入すればよい。
【００３１】
その後、化粧板２０を装着して側板４、被受け部１４及びボルト１８を覆い隠すことにより、空気調和機２の据付が完了する。
【００３２】
なお、本発明は、上記の実施の形態に限定されるものではなく、本発明の範囲内において、適宜変更を加えることができる。例えば、図８及び図９に示すように、フランジ１３に代えて、側板４の支持姿勢において側板４の上縁から空気調和機２側に突出するフランジ２１を形成することもできる。
【００３３】
この場合、被受け部２２は、キャビネット６の側面に、フランジ２１を侵入させる水平なスリット２３を形成し、さらに、スリット２３の上縁からキャビネット６の内側に向けて帯板状の受け部本体２４を突設すると共に、その受け部本体２４の上面側に、キャビネット６の内側面及び受け部本体２４と直交する三角形板状の複数の補強リブ２５を等間隔に配した構造とされる。これにより、側板４の板面をキャビネット６の側面に接触させつつ、フランジ２１に、キャビネット６の両内側面に突設された被受け部２２を載置可能とする。なお、他の構成は、上記の実施の形態と同様である。
【図面の簡単な説明】
【００３４】
【図１】本発明に係る据付装置で支持した空気調和機の側面図
【図２】据付装置で支持した空気調和機の平面図
【図３】図１のＡ−Ａ断面図
【図４】図３のＢ部拡大図
【図５】据付装置の正面図（開姿勢）
【図６】据付装置の側面図（開姿勢）
【図７】据付装置の平面図で、（ａ）は開姿勢、（ｂ）は支持姿勢、（ｃ）は折り畳み姿勢を示す
【図８】据付装置の別の形態を示す要部拡大図
【図９】据付装置の別の形態を示す側面図（開姿勢）
【符号の説明】
【００３５】
１          据付装置
２          空気調和機
３          背面板
４          側板
５          ヒンジ機構
６          キャビネット
１３、２１  フランジ
１４、２２  被受け部
１７        切欠
１８        ボルト
２０        化粧板
２３        スリット
【図１】
2010117074.tif 000003
【図２】
2010117074.tif 000004
【図３】
2010117074.tif 000005
【図４】
2010117074.tif 000006
【図５】
2010117074.tif 000007
【図６】
2010117074.tif 000008
【図７】
2010117074.tif 000009
【図８】
2010117074.tif 000010
【図９】
2010117074.tif 000011